(57)【要約】【課題】  簡便な構成でなる閉塞部材で吹出通風口を容易に、且つ正確に閉塞できるようにした天井埋込型の空気調和機を提供する。【解決手段】  ドレンパン５に形成され化粧パネルの吹出口に連通する吹出通風口５ｂが閉塞部材８により閉塞されてなる空気調和機において、前記閉塞部材８が、前記吹出通風口５ｂの周縁に接着され裏面に断熱材１０を設けた閉塞シート９と、同閉塞シート９の裏面に設けられ前記吹出通風口５ｂの支柱部５ｈに当接する当接片１１とからなる構成にした。これにより、手指で前記閉塞部材８の略中央を上方に押圧する外力が加わった場合でも、閉塞シート９の周縁が押圧された箇所に引かれることがなくなり、閉塞シート９の接着された部位が剥がれないので、閉塞した前記吹出通風口５ｂの機密性を損ねるおそれがない。【選択図】  図４
2010025458.tif 000002
【特許請求の範囲】
【請求項１】
下面を開口する筐体と、同筐体の内部に設ける熱交換器、送風機およびドレンパンと、同ドレンパンに対向して中央に吸込口を有し、同吸込口の周囲に吹出口を有する化粧パネルとを備え、前記ドレンパンに形成され前記吹出口に連通して支柱部を有する吹出通風口の一部を閉塞部材により閉塞してなる空気調和機において、
前記閉塞部材が、前記吹出通風口の周縁に接着されて裏面に断熱材を有する閉塞シートと、同閉塞シートの裏面に設けられて前記支柱部に当接する当接片とで構成されてなることを特徴とする空気調和機。
【請求項２】
下面を開口する筐体と、同筐体の内部に設ける熱交換器、送風機およびドレンパンと、同ドレンパンに対向して中央に吸込口を有し、同吸込口の周囲に吹出口を有する化粧パネルとを備え、前記ドレンパンに形成され前記吹出口に連通して支柱部を有する吹出通風口の一部を閉塞部材により閉塞してなる空気調和機において、
前記閉塞部材が、前記吹出通風口の周縁に接着されて断熱性を有する閉塞シートと、同閉塞シートの裏面に設けられて前記支柱部に当接し断熱性を有する当接片とで構成されてなることを特徴とする空気調和機。
【発明の詳細な説明】
【技術分野】
【０００１】
本発明は、天井埋込型の空気調和機に係わり、より詳細には、設置位置や使用者の要望などに対応して吹出通風口を閉塞する閉塞部材の構造に関する。
【背景技術】
【０００２】
従来の天井埋込型の空気調和機は、基本的には空調空気を吹出口から四方に向けて吹き出すように構成されているが、被空調室内における設置位置や使用者の要望などに対応して、四側に設けられた吹出口の一部からは空調空気が吹き出されないように塞ぐようにしていた。
【０００３】
その場合、例えば図６に示すように、吹出口ａおよび吸込口ｂに到る吹出通風口（通風路）ｃを容易な組立作業で機密に塞ぐことができるものとして、吹出風を空気調和機下方のほぼ全周に吹出うるように本体下面の全周に吹出口ａを設け、この吹出口ａ付近の吹出通風口（通風路）ｃを閉塞する閉塞材ｄを設け、この閉塞材ｄと吹出口ａとの隙間をシールするシール材ｅと、このシール材ｅを押さえる化粧パネルｆとを設けた構成が開示されていた（例えば、実開平２−１３１１２５号公報参照）。
【０００４】
これにより、被空調室の壁面ｇの近傍に位置した吹出口ａに連通する吹出通風口（通風路）ｃが、閉塞材ｄおよびシート状のシール材ｅによって閉塞・シールされることになる一方、閉塞・シールされた以外の吹出通風口（通風路）ｃが連通する吹出口ａからは熱交換器ｈによって熱交換された空調空気が吹き出されることになって、被空調室の壁面ｇの近傍に空調空気を偏らせることがなく、室内全体に空調空気を向けることができて快適な空気調和を行えるようになっていた。
【０００５】
しかしながら、閉塞材ｄが、ドレンパンｉの厚さ寸法に合わせた寸法に形成されて、吹出口ａの奥行き方向を構成している吹出通風口（通風路）ｃに挿着されていることから、閉塞材ｄの外形寸法が大きくなってしまうことや、筐体のコンパクト化や送風性能の向上をはかるのに伴い吹出口ａの形状を異ならせたような場合、夫々の吹出口の形状に合わせた閉塞材ｄが必要になったり、吹出通風口（通風路）ｃに挿着する時の作業が大掛かりになってしまうという問題点を有していた。また、吹出通風口（通風路）ｃに挿着され接着固定されている閉塞材ｄを取り除く必要があるような場合には、奥行きのある通風路ｃから取り除くための作業が困難になってしまうという問題点を有していた。
【０００６】
また、吹出口ａに連通する吹出通風口（通風路）ｃを閉塞する部材として、図示はしないが、シート状のシール材のみ用いることによって簡便にシールする方法を採用する場合には、シール材が吹出通風口（通風路）ｃの周縁部に接着されることになるが、この接着されたシール材に手指で押圧されるなどの外力が加わることによって、シール材の周縁が押圧された箇所に引かれることになり、シール材の接着された部位が剥がれやすくなって、閉塞した吹出通風口（通風路）ｃの機密性を損ねてしまうことになるおそれがあった。
【特許文献１】実開平２−１３１１２５号公報
【発明の開示】
【発明が解決しようとする課題】
【０００７】
そこで、本発明は上述した課題を解決するためになされたものであって、その目的は、簡便な構成でなる閉塞部材で吹出通風口を容易に、且つ正確に閉塞できるようにした天井埋込型の空気調和機の構造に関する。
【課題を解決するための手段】
【０００８】
上述した目的を達成できるように構成するため、本発明は以下に示す特徴を備えている。
【０００９】
下面を開口する筐体と、同筐体の内部に設ける熱交換器、送風機およびドレンパンと、同ドレンパンに対向して中央に吸込口を有し、同吸込口の周囲に吹出口を有する化粧パネルとを備え、前記ドレンパンに形成され前記吹出口に連通して支柱部を有する吹出通風口の一部を閉塞部材により閉塞してなる空気調和機において、
前記閉塞部材が、前記吹出通風口の周縁に接着されて裏面に断熱材を有する閉塞シートと、同閉塞シートの裏面に設けられて前記支柱部に当接する当接片とで構成されてなることを特徴としている。
【００１０】
また、下面を開口する筐体と、同筐体の内部に設ける熱交換器、送風機およびドレンパンと、同ドレンパンに対向して中央に吸込口を有し、同吸込口の周囲に吹出口を有する化粧パネルとを備え、前記ドレンパンに形成され前記吹出口に連通して支柱部を有する吹出通風口の一部を閉塞部材により閉塞してなる空気調和機において、
前記閉塞部材が、前記吹出通風口の周縁に接着されて断熱性を有する閉塞シートと、同閉塞シートの裏面に設けられて前記支柱部に当接し断熱性を有する当接片とで構成されてなることを特徴としている。
【発明の効果】
【００１１】
本発明によれば、簡便な構成でなる閉塞部材で吹出通風口を容易に、且つ正確に閉塞できるようにした天井埋込型の空気調和機を提供できる。
【発明を実施するための最良の形態】
【００１２】
次に、本発明の実施形態について図面を参照しながら説明する。
【００１３】
図１は本発明による空気調和機の分解斜視図であり、図２は本発明による空気調和機を組立状態にした図１に示すＡ−Ａ位置の断面図であり、図３は本発明による空気調和機のドレンパンの裏面図であり、図４は図３に示すＢ−Ｂ断面図であり、図５は本発明による空気調和機の要部分解斜視図である。
【００１４】
本発明による天井埋込型の空気調和機は、図１および図２に示すように、下面を開口して内側に断熱材２を備えた筐体１と、この筐体１の内部に設ける熱交換器４と、ファン３ａおよびファンモータ３ｂからなる送風機３と、ドレンパン５と、このドレンパン５に対向して中央に吸込口７ｂを有するとともに、この吸込口７ｂの周囲に長方形でなる吹出口７ｃを有する化粧パネル７とを備えている。
【００１５】
ドレンパン５は、図３および図５に示すように、吸込口７ｂに連通する吸込開口部５ａを備えるとともに、吹出口７ｃに連通する長方形の吹出通風口５ｂを備えており、これによって、吸込口７ｂから吸い込まれた空気は、吸込開口部５ａを経て熱交換器４に向かうことになり、熱交換器４で熱交換された空調空気として、吹出通風口５ｂを経て吹出口７ｃに送出されることになる。
【００１６】
長方形に形成された吹出通風口５ｂには、図３および図５に示すように、長手方向の略中央に支柱部５ｈが設けられている。
【００１７】
支柱部５ｈは、吹出通風口５ｂの短手方向に架け渡されて両壁面に接続された構成になっており、これによって、とくに長手方向の寸法を大型化した吹出通風口５ｂを形成したような場合には、薄肉状に形成されているこの吹出通風口５ｂの側壁が破損しないように強度を増強している。
【００１８】
また、支柱部５ｈは、図４に示すように、吹出通風口５ｂを流通する空調空気流に対する抵抗を低減できるように断面が流線形状に形成されるとともに、図４に示す高さ寸法Ｈのように、下端位置がドレンパン５の下面よりも少許上位に位置するように形成された構成になっている。
【００１９】
ドレンパン５には、図３に示すように、熱交換器４で結露し滴下したドレン水を受けるドレン水受部５ｃが設けられ、ドレン水を導くための主溝部５ｄおよびコーナ溝５ｅが設けられ、メンテナンス時にドレン水を排出するための排水孔が設けられるとともに、この排水孔には閉止用の栓５ｇが着脱可能に装着されており、また、ドレンポンプ１４を配置するためのドレンポンプ配置溝５ｆが主溝部５ｄおよびコーナ溝５ｅに連通するように設けられた構成になっていて、ドレンポンプ１４は、ドレン水を外部に排出するための排出管１６に接続された吐出口１５を備えている。
【００２０】
また、ドレンパン５は、図５に示す固定具１２によって筐体１に固定されるように構成されており、固定具１２には仮固定用の鉄製の仮止具１３が装着されるようになっている。
【００２１】
以上の構成でなる本発明による空気調和機は、図６に基づいて説明した背景技術と同様に、設置位置や使用者の要望などに対応して、四側に設けられた吹出口７ｃの一部からは空調空気が吹き出されないように塞いでおきたいケースがある。
【００２２】
例えば、空気調和機が、一部の吹出口７ｃが被空調室壁面の近傍に位置するように設置されたような場合、この吹出口７ｃからは空調空気が吹き出されないように塞いでおきたいという使用者の要望に基づいて、この被空調室壁面の近傍に位置する吹出口７ｃに連通する吹出通風口５ｂを閉塞する一方、閉塞されていない吹出通風口５ｂに連通する他の吹出口７ｃからは、熱交換器ｈによって熱交換された空調空気が吹き出されるように構成することで、被空調室の壁面の近傍に空調空気を偏らせることがなく、室内全体に空調空気を向けることができて快適な空気調和を行えるようにしている。
【００２３】
ここで、一部の吹出口７ｃに連通している吹出通風口５ｂを閉塞するための閉塞部材８の構成について、図３乃至図５に基づいて詳細に説明する。
【００２４】
閉塞部材８は、図４に示すように、遮風性を有する閉塞シート９と、閉塞シート９の裏面に設けられた板状の断熱材１０と、これら閉塞シート９および断熱材１０の裏面に設けられた当接片１１とからなる構成になっている。
【００２５】
閉塞部材８は、例えば両面テープを用いることによって、吹出口７ｃに連通する吹出通風口５ｂの周縁部に、図４および図５に示すように貼着されるようになっている。
【００２６】
その際、閉塞シート９の裏面に設けられた断熱材１０が、吹出口７ｃの形状に合わせた外形形状に形成されることで、断熱材１０によって吹出通風口５ｂに対する閉塞シート９の位置決めができるようになる。
【００２７】
なお、断熱材１０は板状に形成されて閉塞シート９の裏面に貼着されており、また、当接片１１も同様に、断熱材１０を貼着している閉塞シート９の裏面側に接着されている。
【００２８】
または、閉塞部材８は、断熱性を有する部材からなる閉塞シート９の裏面側が、断熱材１０に相当する段部を有して吹出口７ｃの形状に合わせた外形形状に形成される構成にしてもよく、この場合、断熱材１０に相当する段部によって吹出通風口５ｂに対する閉塞シート９の位置決めができるようになる。
【００２９】
閉塞部材８を構成する閉塞シート９、断熱材および当接片１１は、何れも断熱性を有する部材からなる構成になっていることで、熱交換器４によって熱交換された空調空気が接触しても該箇所に結露が生じない。
【００３０】
また、隣接する吹出通風口５ｂや吹出口７ｃの形状が互いに異なる場合には、形状の異なる吹出通風口５ｂや吹出口７ｃに合わせた閉塞シート９だけを用意する一方、断熱材１０および当接片１１は夫々一つだけ用意しておけば、形状が異なる吹出通風口５ｂや吹出口７ｃであっても、塞ぎたい吹出通風口５ｂや吹出口７ｃのどれでも塞ぐことができるようになり、断熱材１０や当接片１１の種類を増やすことなくこれらの梱包や取り扱いを簡略化できることになる。
【００３１】
そして、断熱性を有する部材からなる当接片１１は、図４に示すように、その先端が吹出通風口５ｂに設けられた支柱部５ｈに当接する構成になっている。
【００３２】
これによって、吹出通風口５ｂが、その周縁部に閉塞部材８の閉塞シート９を接着することで閉塞された際、図４に示す矢印Ａのように、手指で閉塞部材８の略中央部が上方に押圧されるなどの外力が加わった場合でも、当接片１１が支柱部５ｈに当接している構成であることから、閉塞部材８に撓みが生じないので、閉塞シート９の周縁が押圧された箇所に引かれることがなくなり、そのため、閉塞シート９の接着された部位が剥がれやすくなるということがないので、閉塞した吹出通風口５ｂの機密性を損ねてしまうおそれがなくなって、吹出通風口５ｂが連通する吹出口７ｃから空調空気が漏れることがない。
【００３３】
したがって、吹出通風口５ｂを閉塞した閉塞シート９を介して、図２に示すように化粧パネル７がドレンパン５に接合され、一部の吹出口７ｃが被空調室壁面の近傍に位置するように設置された場合に、この被空調室壁面の近傍に位置する吹出口７ｃからは熱交換器４によって熱交換された空調空気が吹き出されず、閉塞されていない他の吹出口７ｃからは熱交換器４によって熱交換された空調空気が吹き出されるようになるので、空調空気を被空調室の壁面の近傍に偏らせることがなく、室内全体に空調空気を向けることができる天井埋込型の空気調和機となる。
【図面の簡単な説明】
【００３４】
【図１】本発明による空気調和機の分解斜視図である。
【図２】本発明による空気調和機を組立状態にした図１に示すＡ−Ａ位置の断面図である。
【図３】本発明による空気調和機のドレンパンの裏面図である。
【図４】図３に示すＢ−Ｂ断面図である。
【図５】本発明による空気調和機の要部分解斜視図である。
【図６】従来例による空気調和機の説明図である。
【符号の説明】
【００３５】
１  筐体
２  断熱材
３  送風機
３ａ  ファン
３ｂ  ファンモータ
４  熱交換器
５  ドレンパン
５ａ  吸込開口部
５ｂ  吹出通風口
５ｃ  ドレン水受部
５ｄ  主溝部
５ｅ  コーナ部
５ｆ  ポンプ配置溝
５ｇ  栓
５ｈ  支柱部
６  ベルマウス
７  化粧パネル
７ａ  吸込グリル
７ｂ  吸込口
７ｃ  吹出口
８  閉塞部材
９  閉塞シート
１０  断熱材
１１  当接片
１２  固定具
１３  仮止具
１４  ドレンポンプ
１５  吐出口
１６  排出管
【図１】
2010025458.tif 000003
【図２】
2010025458.tif 000004
【図３】
2010025458.tif 000005
【図４】
2010025458.tif 000006
【図５】
2010025458.tif 000007
【図６】
2010025458.tif 000008